(57)【特許請求の範囲】
【請求項１】
釣銭用のコインを収納した複数のコインチューブが設置されたコイン収納器と、該コイン収納器から払い出された釣銭コインを返却口に導くボトムベースとを備え、該コイン収納器と該ボトムベースを箱状のコイン処理装置本体内に収容し該コイン処理装置本体の底板を間にして上下に配置したコイン処理装置において、
前記コイン収納器の底板又はコイン処理装置本体の底板の何れか一方には底面突起を設け、他方には該底面突起が係合され該コイン収納器の前後方向への移動を規制する係合部を設け、
前記ボトムベースの先端には前記コイン収納器の底板と隙間を有するよう形成したコイン収納器位置決め用の上部突起を有する
ことを特徴とするコイン処理装置。
【請求項２】
釣銭用のコインを収納した複数のコインチューブが設置されたコイン収納器と、該コイン収納器から払い出された釣銭コインを返却口に導くボトムベースとを備え、該コイン収納器と該ボトムベースを箱状のコイン処理装置本体内に収容し該コイン処理装置本体の底板を間にして上下に配置したコイン処理装置において、
前記コイン収納器の底板又は前記コイン処理装置本体の底板の何れか一方には底面突起を設け、他方には該底面突起が係合され該コイン収納器の前後方向への移動を規制する係合部を設け、
前記コイン収納器の側面又は前記コイン処理装置本体の側板の何れか一方には側面突起を設け、他方には該側面突起が係合して該コイン収納器の下方への移動を規制する支持部を設け、
前記ボトムベースの先端には前記コイン収納器の底板と隙間を有するよう形成したコイン収納器位置決め用の上部突起を有する
ことを特徴とするコイン処理装置。
【発明の詳細な説明】
【０００１】
【発明の属する技術分野】
本発明は、自動販売機等に内蔵されたコイン処理装置であり、特にコイン収納器の係合支持構造に関するものである。
【０００２】
【従来の技術】
従来、この種のコイン処理装置として、釣銭用のコインを収納した複数のコインチューブが設置されたコイン収納器と、コイン収納器から払い出された釣銭コインを返却口に導くボトムベースとを備え、コイン収納器と該ボトムベースを箱状のコイン処理装置本体の底板を間にして上下に配置したコイン処理装置が一般的に使用されている。
【０００３】
このコイン処理装置のコイン払出箇所の構造を図９〜図１１を参照して説明する。即ち、コインチューブ１０１の底板１０１ａ上には積み重ねられたコインＡのうち最下位のコインＡ１が位置しており、最下位のコインＡ１が釣銭払い出し装置１２０のスライドリング１２１に収容した状態となっている。また、このスライドリング１２１にはスライドバー１２２の連結ピン１２３が連結しており、スライドバー１２２を図示しないモータなどの駆動源により前後（図９乃至図１１では図面に向かって左右）に摺動し、スライドリング１２１に収容したコインＡ１が前後に往復動する。ここで、コインＡ１が後方に移動するとき、コインＡ１はコインチューブ１０１の底板１０１ａの後方に形成されたコイン払出口１２４の上を移動することとなる。
【０００４】
スライドバー１２２の内側にはコインが載置可能な払出プレート１２５が前後に摺動自在に介装されている。この払出プレート１２５は選択ピン１２６により、前後方向への摺動が規制或いは解除される。即ち、図示しないソレノイドなどで上下動する選択ピン１２６が払出プレート１２５の後端に当たっているときは、払出プレート１２５が後方へ移動できず、一方選択ピン１２６がソレノイドなどで上方に引き上げられ払出プレート１２５の後端から外れるときは、払出プレート１２５が後方へ移動できる。
【０００５】
以上のように構成されたコイン処理装置において、釣銭払出信号が入力されたときは、図１０に示すように、釣銭として必要なコインＡが収容されているコインチューブ１０１が選択され、このコインチューブ１０１に対応する選択ピン１２６が、上方に引き上げられ、次いで、スライドバー１２２が後方に移動する。これにより、スライドリング１２１に収容されたコインＡ１が後方に移動し、コイン払出口１２４に落下し、更に下方のボトムベース１３０内に落下して図示しない返却口に搬出される。
【０００６】
一方、釣銭払出信号が入力されたとき、図１１に示すように、釣銭として不要なコインチューブ１０１に対応する選択ピン１２６は引き上げられることなく、払出プレート１２５の後端に当たって払出プレート１２５の後方への移動が規制されている。この結果、釣銭払出信号の入力により、前述の如く、スライドバー１２２が後方に移動し、コインＡ１が後方に移動するが、コインＡ１はその移動途中で払出プレート１２５上に載るため、コイン払出口１２４に落下することなく、スライドリング１２１に収容された状態で図９に示す待機状態に戻る。
【０００７】
【発明が解決しようとする課題】
ところで、従来のコイン収納器は、図９〜図１１に示すように、その底板１０１ａをコイン処理装置本体１４０の底板１４１に載せて設置され、また、前方への離脱を防止するため、ボトムベース１３０の上部突起１３１に底板１０１ａの先端側を当てて固定している。
【０００８】
しかしこのようなコイン収納器の固定構造では、図１１に示すコインＡ１の後方への移動から図９の待機状態に戻る際、コインＡ１が最下位から２番目のコインＡ２と衝突するなどの不具合が起きたときは、前方向への移動力がコイン収納器を通じて上部突起１３１にかかるため、ボトムベース１３０がコイン収納器に押されて、コイン処理装置本体１４０から外れるという問題点を有している。
【０００９】
このような問題点を解決するため、ボトムベース１３０をコイン処理装置本体１４０に強固に固定する手段として、従来はボトムベース１３０を複数の金属製部材でコイン処理装置本体１４０に強固に取り付けていた。しかしながら、これではボトムベース１３０の部品点数が増大し、また、コストが割高になるという問題点を有していた。
【００１０】
また、従来のコイン収納器は、図９〜図１１に示すように、その底板１０１ａをコイン処理装置本体１４０の底板１４１に載せて設置し、この底板１４１のみでコイン収納器を支えている。
【００１１】
しかしながら、コイン収納器１３０の重量は、コインが満杯となっているときは２ｋｇにも達するため、コイン処理装置本体１４０の底板１４１が下方に向かってたわみ、コイン収納器の高さ位置が変化して払出不良を起こすという問題点を有していた。
【００１２】
本発明の目的は前記従来の課題に鑑み、ボトムベースへのコイン収納器の荷重付加を回避し、また、コイン収納器の荷重によりコイン処理装置本体が変形することがないコイン処理装置を提供することにある。
【００１３】
【課題を解決するための手段】
本発明は前記課題を解決するため、請求項１の発明は、釣銭用のコインを収納した複数のコインチューブが設置されたコイン収納器と、コイン収納器から払い出された釣銭コインを返却口に導くボトムベースとを備え、コイン収納器とボトムベースを箱状のコイン処理装置本体内に収容しコイン処理装置本体の底板を間にして上下に配置したコイン処理装置において、コイン収納器の底板又はコイン処理装置本体の底板の何れか一方には底面突起を設け、他方には底面突起が係合されコイン収納器の前後方向への移動を規制する係合部を設け、ボトムベースの先端にはコイン収納器の底板と隙間を有するよう形成したコイン収納器位置決め用の上部突起を有する構造となっている。
【００１４】
請求項１の発明によれば、コイン収納器がコイン処理装置本体に底面突起及び係合部により前後方向の移動が規制されるため、従来の如くコイン収納器の荷重がボトムベースにかかることがない。
【００１５】
請求項２の発明は、釣銭用のコインを収納した複数のコインチューブが設置されたコイン収納器と、コイン収納器から払い出された釣銭コインを返却口に導くボトムベースとを備え、コイン収納器とボトムベースを箱状のコイン処理装置本体内に収容しコイン処理装置本体の底板を間にして上下に配置したコイン処理装置において、コイン収納器の底板又はコイン処理装置本体の底板の何れか一方には底面突起を設け、他方には底面突起が係合されコイン収納器の前後方向への移動を規制する係合部を設け、コイン収納器の側面又はコイン処理装置本体の側板の何れか一方には側面突起を設け、他方には側面突起が係合してコイン収納器の下方への移動を規制する支持部を設けた構造となっている。
【００１６】
請求項２の発明によれば、コイン収納器がコイン処理装置本体に側面突起及び支持部により上下方向への移動が規制されるため、従来の如くコイン収納器の荷重全てがコイン処理装置本体の底板にかかるようなことがない。また、底面突起及び係合部を有するため、コイン収納器の荷重がボトムベースにかかることがない。
【００１８】
【発明の実施の形態】
図１〜図８は本発明に係るコイン処理装置の一実施形態を示すもので、図１はコイン処理装置の外観斜視図、図２はコイン収納器の組み付け斜視図、図３はコイン収納器の組み付け状態を示す一部省略正面図、図４はコイン収納器を取り付けたコイン処理装置本体の底面図、図５はコイン収納器の組み付け省略側面図、図６は釣銭払出装置の待機状態を示す省略断面図、図７は釣銭払出装置の不払い操作を示す省略断面図、図８はコイン収納器の組み付け時の操作を示す省略断面図である。なお、従来技術を示す図９〜図１１と同一構成部分は同一符号をもって表す。
【００１９】
まず、自動販売機に内蔵されているコイン処理装置の概要を図１を参照して説明する。コイン処理装置の筐体を構成するコイン処理装置本体１４０の内部にはその上部にコイン投入口１４０ａを有し、このコイン投入口１４０ａを通じてコインを導入する。この導入されたコインは、コイン投入口１４０ａの下部に配置されたコイン識別部（図示しない）で正偽及び金種が判定される。このコイン識別部で偽貨と判定されたものは、返却通路を通じて自動販売機の返却口（図示しない）に返却される。一方、正貨と判定されたコインはコイン識別部の下方に配置されたコイン収納器１００に向かって移動し、更にコイン収納器１００内に設置された所定のコインチューブ１０１に入り、コインチューブ１０１内に積み重ねながら収納される。また、コインチューブ１０１に収納されたコインは釣銭コインとして利用され、釣銭を払い出すときはコインチューブ１０１の下方に設置された図６〜図８に示す釣銭払出装置１２０が駆動する。この釣銭払出装置１２０で搬出された釣銭コインは、釣銭払出装置１２０の下方に設置されたボトムベース１３０を通じて返却口に返却される。
【００２０】
このように構成されたコイン処理装置において、本実施形態はコイン収納器１００の設置構造に特徴的構成を有する。このコイン収納器１００の設置構造を説明するにあたり、まず、コイン収納器１００の構造を説明する。
【００２１】
コイン収納器１００は、図２に示すように、偏平状の箱体にて形成されており、その内部には複数のコインチューブ１０１が横方向に並んで配置されている。また、コイン収納器１００の一方の側面上端には、図２及び図３に示すように、外方に突出した第１側面突起１０２が形成されている。また、コイン収納器１００の他方の側面上部には、図３及び図５に示すように、外方に突出した第２側面突起１０３が形成されている。また、コイン収納器１００の底板１０１ａのうち、底板１０１ａの下面の左右両端には、図２に示すように、下方に向かって突出した第１及び第２底面突起１０４，１０５が形成されている。第１及び第２底面突起１０４，１０５はそれぞれ底板１０１ａの左右両側に位置している。
【００２２】
次に、コイン収納器１００を支持するコイン処理装置本体１４０の構造を説明する。コイン処理装置本体１４０は、図２に示すように、前面及び上面を開口した有底の箱体で形成されている。このコイン処理装置本体１４０の側板１４２，１４３のうち、図３に向かって右側の側板１４２には、図２に示すように、後方に向かって延びる第１係合溝１４４が形成されている。一方、図３に向かって左側の側板１４３には同じく後方に向かって延びる第２係合溝１４５が形成されている。第１係合溝１４４には図２に示すようにコイン収納器１００の第１側面突起１０２が係合し、また、第２係合溝１４５には図５に示すようにコイン収納器１００の第２側面突起１０３が係合し、これにより、コイン収納器１００の側面をコイン処理装置本体１４０の側板１４２，１４３に支持している。
【００２３】
また、コイン処理装置本体１４０の底板１４１の左右両端には、図２及び図４に示すように、上下に貫通した第１及び第２係合穴１４６，１４７が形成されている。第１及び第２係合穴１４６，１４７のうち、第１係合穴１４６にはコイン収納器１００の第１底面突起１０４が上からはまって係合し、第２係合穴１４７にはコイン収納器１００の第２底面突起１０５が同じく上からはまって係合している。これにより、コイン収納器１００が底板１０１ａを介してコイン処理装置本体１４０に載置され、また、コイン収納器１００の前後方向への移動が規制されている。
【００２４】
なお、釣銭払出装置１２０の構造は前記従来技術を示す図９〜図１１で説明した構成と同一となっているため、その説明を省略する。
【００２５】
以上のように構成されたコイン処理装置において釣銭払出信号が入力されたとき、払い出されるべきコインに関しては図１０に示す動作（従来技術）と同様にして払い出される。一方、この釣銭払出信号が入力された際、払出不要なコインに関しては釣銭払出装置１２０は図６及び図７に示すように動作する。
【００２６】
即ち、払出不要なコインが収納されたコインチューブ１０１において、このコインチューブ１０１に対応する選択ピン１２６は引き上げられることなく、払出プレート１２５の後端に当たっており、これにより、払出プレート１２５の後方への移動が規制されている。この結果、釣銭払出信号の入力により、図７に示すように、スライドバー１２２が後方に移動しコインＡ１が後方に移動するが、コインＡ１はその移動途中で払出プレート１２５上に載るため、コイン払出口１２４に落下することなく、スライドリング１２１に収容された状態で図６に示す待機状態に戻る。
【００２７】
この待機状態に戻る際、図７に示すように、最下位のコインＡ１の上面が最下位から２番目のコインＡ２の下面に擦るようにしてコインチューブ１０１の最下位に戻る。このとき、最下位のコインＡ１にはコインＡ２上の全てのコインＡの荷重がかかるため、各コインＡ１を通じてコイン収納器１００の底板１０１ａに前方向の移動力がかかるが、第１底面突起１０４がコイン処理装置本体１４０の第１係合穴１４６にはまり込んでいるため、この前方向への移動が規制される。なお、図６及び図７は、第１底面突起１０４と第１係合穴１４６との係合状態のみを示しているが、第２底面突起１０５も第１係合穴１４７に同様に係合しているため、第２底面突起１０５及び第１係合穴１４７によっても同様に前方向の移動が規制される。
【００２８】
従来のコイン処理装置ではこの移動力がボトムベース１３０の上部突起１３１に付加されていたが、図７に示すように、上部突起１３１と底板１０１ａとの間には隙間Ｓが形成されるようコイン収納器１００を配置しているため、上部突起１３１にはコイン収納器１００から移動力が付加されることがない。
【００２９】
なお、このボトムベース１３０の上部突起１３１は、図８に示すように、コイン収納器１００をコイン処理装置本体１４０に取り付ける際の位置決め用の突起として機能している。
【００３０】
本実施形態によれば、前述の如く、コイン収納器１００がコイン処理装置本体１４０に第１及び第２底面突起１０４，１０５及び第１及び第２係合穴１４６，１４７により前後方向の移動が規制されるため、コイン収納器１００にかかる前方向の移動力がボトムベース１３０に加わることがない。この結果、ボトムベース１３０が外れることがないし、また、ボトムベース１３０を強固な構造とする必要がない。
【００３１】
また、第１及び第２側面突起１０２，１０３が第１及び第２係合溝１４４，１４５に係合して、コイン収納器１００がコイン処理装置本体１４０の底板１４１とコイン処理装置本体１４０の側板１４２，１４３に支持されている。この結果、コイン収納器１００の荷重がコイン処理本体１４０の底板１４１に全て付加されることがないため、底板１４１の変形による払出不良を防止できる。
【００３２】
前記実施形態に係るコイン処理装置として、コイン収納器１００の前方向への移動規制部材として、第１及び第２底面突起１０４，１０５及び第１及び第２係合穴１４６，１４７を有し、また、コイン収納器１００を支持する部材として、第１及び第２側面突起１０２，１０３及び第１及び第２係合溝１４４，１４５を有するものを説明した。
【００３３】
しかしながら、コイン収納器１００の前方向への移動を規制することのみを目的とするときは、第１及び第２底面突起１０４，１０５及び第１及び第２係合穴１４６，１４７のみを有するコイン処理装置とすればよい。また、コイン収納器１００の荷重によってコイン処理装置本体１４０の底板４１が変形することがないコイン処理装置を提供することのみを目的とするときは、第１及び第２側面突起１０２，１０３及び第１及び第２係合溝１４４，１４５のみを有するコイン処理装置とすればよい。
【００３４】
【発明の効果】
以上説明したように、請求項１の発明によれば、従来の如くコイン収納器の荷重がボトムベースにかかることがないため、ボトムベースが外れたり、或いは、ボトムベースを強固な構造とする必要がない。
【００３５】
請求項２の発明によれば、コイン収納器がコイン処理装置本体の側板に支持されるため、従来の如くコイン収納器の荷重がコイン処理装置本体の底板に全てかかるようなことがなく、底板の変形に伴う釣銭の払出不良を起こすことがない。また、前記請求項１の構成を備えているため、前記請求項１の発明の効果を有する。
【図面の簡単な説明】
【図１】本発明に係るコイン処理装置の外観斜視図
【図２】コイン収納器の組み付け斜視図
【図３】コイン収納器の組み付け状態を示す一部省略正面図
【図４】コイン収納器を取り付けたコイン処理装置本体の底面図
【図５】コイン収納器の組み付け省略側面図
【図６】釣銭払出装置の待機状態を示す省略断面図
【図７】釣銭払出装置の不払い操作を示す省略断面図
【図８】コイン収納器の組み付け時の操作を示す省略断面図
【図９】従来の釣銭払出装置の待機状態を示す省略断面図
【図１０】従来の釣銭払出装置の払出操作を示す省略断面図
【図１１】従来の釣銭払出装置の不払い操作を示す省略断面図
【符号の説明】
１００…コイン収納器、１０１…コインチューブ、１０１ａ…コイン収納器の底板、１０２，１０３…側面突起、１２０…釣銭払出装置、１３０…ボトムベース、１４０…コイン処理装置本体、１４１…コイン処理装置本体の底板、１４２，１４３…側板、１４４，１４５…係合溝、１４６，１４７…係合穴。
【図１】
0004689864.tif 000002
【図２】
0004689864.tif 000003
【図３】
0004689864.tif 000004
【図４】
0004689864.tif 000005
【図５】
0004689864.tif 000006
【図６】
0004689864.tif 000007
【図７】
0004689864.tif 000008
【図８】
0004689864.tif 000009
【図９】
0004689864.tif 000010
【図１０】
0004689864.tif 000011
【図１１】
0004689864.tif 000012